(57)【特許請求の範囲】
【請求項１】
装置が収容される装置架本体と、
前記装置架本体の前面に形成される開口部と、
前記開口部の両側に、上下方向に沿って設けられる支持部材と、
前記各支持部材に形成され、相互に対向する第１の溝部と、
前記第１の溝部に挿通自在に支持され、前記装置の前面を覆って配置される板状のカバー部材とを備え、
前記カバー部材の両端には、上下方向に間隔を置いて、幅方向に突出する複数の突起部が形成され、
前記支持部材には、前記装置架本体の前面側から前記第１の溝部まで開口し、前記カバー部材の前記各突起部を挿通する第１の切込部が形成されていることを特徴とする装置架。
【請求項２】
請求項１記載の装置架において、
前記カバー部材は、透明であることを特徴とする装置架。
【請求項３】
請求項１または請求項２記載の装置架において、
前記装置架本体内には、前記装置の収容空間が上下方向に間隔を置いて設けられ、
前記第１の溝部は、前記支持部材の前記各収容空間に対応する位置にそれぞれ形成され、
前記カバー部材は、前記各第１の溝部に挿通自在に支持されていることを特徴とする装置架。
【請求項４】
請求項１記載の装置架において、
前記第１の溝部の下部には、前記カバー部材の下端を当接する当接部が形成されていることを特徴とする装置架。
【請求項５】
請求項１記載の装置架において、
前記支持部材には、前記第１の溝部に隣接する奥側に、上下方向に沿って第２の溝部が形成され、
前記第１および第２の溝部の間には、前記第１の切込部に向けて、前記カバー部材の前記各突起部を挿通する第２の切込部が形成されていることを特徴とする装置架。
【発明の詳細な説明】
【０００１】
【発明の属する技術分野】
本発明は、通信機器等の装置を収容する装置架に係わり、特に、装置の操作部への接触を防止するための装置架に関する。
【０００２】
【従来の技術】
近年、情報のネットワーク化の進展が著しく、通信機器等の装置を収容する装置架は、従来の人の出入りが制約される通信室から、人の出入りの多いコンピュータ室、一般事務室に設置されることが多くなってきている。
また、展示会への出品や顧客先でのデモンストレーションなど、不特定多数の人の前に装置がさらされることが多くなってきている。
【０００３】
図２０は、この種の装置を収容する装置架を示している。
図において、装置架本体１の前面には、開口部１ａが形成されている。
装置架本体１の内部には、通信機器等の装置３が、上下方向に間隔を置いて複数台収容されている。
【０００４】
装置３の前面には、この装置３を動作・調整するためのスイッチ３ａおよびコネクタ３ｂが設けられている。
【０００５】
【発明が解決しようとする課題】
しかしながら、このような従来の装置架では、装置３のスイッチ３ａおよびコネクタ３ｂが、開口部１ａに露出した状態で配置されているため、上述した展示会等に装置３を出品した場合には、不特定多数の人が自由に装置３のスイッチ３ａ等に触れることができ、誤った操作により装置３が誤動作を起こすという問題があった。
【０００６】
さらに、コネクタ３ｂに導電性のものが接触した場合には、装置が故障してしまうおそれがあった。
本発明は、かかる従来の問題点を解決するためになされたもので、装置架本体に収容される装置の操作部を、確実に保護することができる装置架を提供することを目的とする。
【０００７】
【課題を解決するための手段】
請求項１の装置架は、装置が収容される装置架本体と、前記装置架本体の前面に形成される開口部と、前記開口部の両側に、上下方向に沿って設けられる支持部材と、前記各支持部材に形成され、相互に対向する第１の溝部と、前記第１の溝部に挿通自在に支持され、前記装置の前面を覆って配置される板状のカバー部材とを備え、前記カバー部材の両端には、上下方向に間隔を置いて、幅方向に突出する複数の突起部が形成され、前記支持部材には、前記装置架本体の前面側から前記第１の溝部まで開口し、前記カバー部材の前記各突起部を挿通する第１の切込部が形成されていることを特徴とする。
【０００８】
請求項２の装置架は、請求項１記載の装置架において、前記カバー部材は、透明であることを特徴とする。
請求項３の装置架は、請求項１または請求項２記載の装置架において、前記装置架本体内には、前記装置の収容空間が上下方向に間隔を置いて設けられ、前記第１の溝部は、前記支持部材の前記各収容空間に対応する位置にそれぞれ形成され、前記カバー部材は、前記各第１の溝部に挿通自在に支持されていることを特徴とする。
【００１０】
請求項４の装置架は、請求項１記載の装置架において、前記第１の溝部の下部には、前記カバー部材の下端を当接する当接部が形成されていることを特徴とする。
請求項５の装置架は、請求項１記載の装置架において、前記支持部材には、前記第１の溝部に隣接する奥側に、上下方向に沿って第２の溝部が形成され、前記第１および第２の溝部の間には、前記第１の切込部に向けて、前記カバー部材の前記各突起部を挿通する第２の切込部が形成されていることを特徴とする。
【００１６】
（作用）
請求項１の装置架では、板状のカバー部材の両端が、装置架本体の開口部の両側に設けられる支持部材の第１の溝部に挿通自在に支持され、カバー部材により、装置架本体に収容される装置の前面が覆われ、装置のスイッチ等が触れられることが防止される。
また、カバー部材を装置架本体の前面に平行にした状態で、装置架本体に向けて移動することで、カバー部材の両端の突起部が、第１の切込部に挿通され、カバー部材が第１の溝部に支持される。
【００１７】
請求項２の装置架では、カバー部材で覆われ、保護される装置を、カバー部材を通して見ることができる。
請求項３の装置架では、装置架本体の上下方向に間隔を置いて設けられる装置の収容空間に対応する位置に、それぞれ第１の溝部が形成されるため、収容空間に収容される各装置毎に、カバー部材の取り付け・取り外しが行われる。
【００１８】
このため、保護が必要な装置にのみ、カバー部材を取り付けることができる。
請求項４の装置架では、カバー部材を第１の溝部まで挿入した後に、第１の溝部に沿って下方に移動し、カバー部材の下端を当接部に当接することで、カバー部材が第１の溝部の所定の位置に支持される。
【００１９】
請求項５の装置架では、カバー部材が、突起部を第１および第２の切込部の少なくとも一方を挿通して、第１の溝部または第２の溝部のどちらかに支持される。
このため、装置架本体に収容される装置の大きさ、あるいは、装置のスイッチ等の突出の程度に合わせて、カバー部材を装置架本体の開口部の最適な位置に支持することができる。
【００２５】
【発明の実施の形態】
以下、本発明の実施形態を図面を用いて詳細に説明する。
図１は、本発明の装置架の第１の実施形態（請求項１ないし請求項４に対応する）を示している。
図において、装置架本体２１の前面２１ａには、矩形状の開口部２３が形成されている。
【００２６】
装置架本体２１の内部には、上下方向に間隔を置いて、通信機器等の装置２５を収容する収容空間２１ｂが複数箇所に形成されている。
なお、装置２５は、複数の部品を収容する筐体により構成されている。
各装置２５の前面２５ａには、この装置２５を動作・調整するためのスイッチ２５ｂおよびコネクタ２５ｃが設けられている。
【００２７】
装置架本体２１の開口部２３の両側には、上下方向に沿って角柱状の支持部材２７が固定されている。
各支持部材２７には、各収容空間２１ｂに対応する位置に、上下方向に延在する第１の溝部２９が、相互に対向して複数箇所に形成されている。
支持部材２７には、装置架本体２１の前面２１ａから各第１の溝部２９まで開口するコ字状の第１の切込部３１ａ、３１ｂが形成されている。
【００２８】
第１の切込部３１ａ、３１ｂは、各収容空間２１ｂに収容される装置２５の上部２５ｄおよび下部２５ｅに対応する位置にそれぞれ形成されている。
第１の溝部２９の下部には、当接部３３が形成されている。
この実施形態では、支持部材２７は、アルミニウム合金等を切削加工することにより形成されている。
【００２９】
そして、第１の溝部２９には、透明なアクリル樹脂板等からなり、四角形形状のカバー部材３５が着脱自在に支持されている。
カバー部材３５の上端３５ａには、装置架本体２１と反対側に向けて折曲される取手部３７が、間隔を置いて２箇所に形成されている。
【００３０】
カバー部材３５の幅方向の両側には、上端３５ａ側および下端３５ｂ側に、幅方向に突出する突起部３９ａ、３９ｂが形成されている。
突起部３９ａ、３９ｂの形成間隔は、第１の切込部３１ａ、３１ｂの形成間隔に合わせて形成されており、突起部３９ａ、３９ｂは、第１の切込部３１ａ、３１ｂに挿通可能な大きさに形成されている。
【００３１】
また、図２に示すように、カバー部材３５の高さＨ１は、装置２５の高さＨ２とほぼ同一の大きさに形成されている。
カバー部材３５の幅Ｗ１は、支持部材２７、２７の間隔Ｗ２より小さくなるように形成されている。
上述した装置架では、展示会等への出品のように不特定多数の人が自由に装置３のスイッチ３ａ等に触れる可能性のある場合には、装置３を保護するために、カバー部材３５が装置架本体２１に取り付けられる。
【００３２】
すなわち、先ず、図３に示すように、取手部３７を持って、カバー部材３５が装置架本体２１の前面２１ａに対して平行に配置される。
次に、カバー部材３５が、突起部３９ａ、３９ｂを第１の切込部３１ａ、３１ｂに挿通して、第１の溝部２９まで移動される。
次に、図４に示すように、カバー部材３５が第１の溝部２９内を下側に移動される。
【００３３】
この移動により、カバー部材３５の下端３５ｂが第１の溝部２９の当接部３３に当接し、カバー部材３５が装置架本体２１の所定の位置に支持される。
そして、図５に示すように、カバー部材３５により、各収容空間２１ｂに収容される装置２５の前面２５ａが覆われ、スイッチ２５ｂ等が保護される。
一方、カバー部材３５を装置架本体２１から取り外す場合には、先ず、取手部３７を持ち、カバー部材３５が、突起部３９ａ、３９ｂと第１の切込部３１ａ、３１ｂとが一致する位置まで持ち上げられる。
【００３４】
次に、カバー部材３５が装置架本体２１の前面２１ａ側に移動され、突起部３９ａ、３９ｂが第１の切込部３１ａ、３１ｂに挿通され、カバー部材３５が装置架本体２１から取り外される。
以上のように構成された装置架では、装置架本体２１の開口部２３の両側に支持部材２７を配置し、この支持部材２７に、各収容空間２１ｂに対応して複数の第１の溝部２９を形成し、板状のカバー部材３５を、第１の溝部２９に支持したので、カバー部材３５により、収容空間２１ｂに収容される装置２５の前面２５ａを覆うことができ、装置２５のスイッチ２５ｂ等が触れられることを防止することができる。
【００３５】
このため、装置架本体２１の設置場所に応じて、カバー部材３５を着脱することにより、装置架本体２１に収容される装置２５を、確実に保護することができ、装置２５の誤動作を防止することができる。
また、カバー部材３５を透明なアクリル樹脂板により形成したので、展示会等に出品した装置２５をカバー部材３５で覆って保護する際に、カバー部材を通して装置２５の前面２５ａを詳細に見ることができる。
【００３６】
そして、装置架本体２１の収容空間２１ｂに収容される各装置２５に対応する位置に、それぞれ第１の溝部２９を形成したので、各装置２５毎に、カバー部材３５の取り付け・取り外しを行うことができ、保護が必要な装置２５のみに、カバー部材３５を取り付けることができる。
また、カバー部材３５の両端に、幅方向に突出する複数の突起部３９ａ、３９ｂを形成し、第１の溝部２９に、カバー部材３５の突起部３９ａ、３９ｂを挿通する第１の切込部３１ａ、３１ｂを形成したので、カバー部材２５を装置架本体２１の前面２１ａに平行にした状態で、装置架本体２１に向けて移動することで、カバー部材３５を第１の溝部２９に容易に取り付け、取り外すことができる。
【００３７】
そして、第１の溝部２９の下部に当接部３３を形成したので、カバー部材３５を第１の溝部２９に挿入した後に、カバー部材３５を第１の溝部２９内に沿って下方に移動し、カバー部材３５の下端３５ｂを当接部３３に当接することで、カバー部材３５を第１の溝部２９の所定の位置に支持することができる。
図６は、本発明の装置架の第２の実施形態（請求項５に対応する）を示している。
【００３８】
この実施形態では、装置架本体２１の開口部２３に、上下方向に沿って角柱状の支持部材４１が固定されている。
支持部材４１には、第１の実施形態と同一形状の第１の溝部４３、第１の切込部４５ａ、４５ｂおよび当接部４７が形成されている。
また、カバー部材３５は、第１の実施形態と同一のものが用いられている。
【００３９】
各支持部材４１の内側には、第１の溝部４３に平行に、第２の溝部４９が形成されている。
支持部材４１には、第１および第２の溝部４３、４９の間を連通する第２の切込部５１ａ、５１ｂが、第１の切込部４５ａ、４５ｂに隣接する位置に形成されている。
【００４０】
第２の切込部５１ａ、５１ｂは、第１の切込部４５ａ、４５ｂと同一の高さに、同一の形状で形成されている。
第２の溝部４９の下部には、当接部５３が形成されている。
上述した装置架では、図７に示すように、装置２５のスイッチ２５ｂが第２の溝部４９まで突出している場合には、第１の実施形態と同様にして、カバー部材３５は、第１の溝部４３に支持される。
【００４１】
また、図８に示すように、装置２５のスイッチ２５ｂが第２の溝部４９まで突出していない場合には、カバー部材３５は、第２の溝部４９に取り付けられる。この際、カバー部材３５は、先ず、突起部３９ａ、３９ｂを第１の切込部４５ａ、４５ｂに挿通される。
【００４２】
さらに、カバー部材３５は、突起部３９ａ、３９ｂを第２の切込部５１ａ、５１ｂに挿通して、第２の溝部４９まで移動される。
次に、カバー部材３５の下端３５ｂが第２の溝部４９の当接部５３に当接され、カバー部材３５が、装置架本体２１の所定の位置に支持される。
この実施形態においても、上述した第１の実施形態と同様の効果を得ることができるが、この実施形態では、装置架本体２１の開口部２３に第１の溝部４３に隣接して第２の溝部４９を形成し、第１および第２の溝部４３、４９の間に、第１の切込部４５ａ、４５ｂに向けて第２の切込部５１ａ、５１ｂを形成し、カバー部材３５を第１または第２の溝部４３、４９のどちらかに支持するようにしたので、装置架本体２１に収容される装置２５の大きさ、あるいは、装置２５のスイッチ２５ｂ等の突出の程度に合わせて、カバー部材３５を、装置架本体２１の開口部２３の最適な位置に支持することができる。
【００４３】
図９は、本発明に関連する装置架を示している。
この例では、装置架本体２１の開口部２３の両側に角柱状の支持部材５５が固定されている。
各支持部材５５には、上下に延在する第１の溝部５７が、相互に対向して形成されている。
【００４４】
支持部材５５には、装置架本体２１の前面２１ａから第１の溝部５７まで開口するコ字状の第３の切込部５９が複数箇所に形成されている。
第３の切込部５９は、収容空間２１ｂに収容される各装置２５の上部２５ｄに対応する位置にそれぞれ形成されている。
また、カバー部材６１は、四角形形状の透明なアクリル樹脂板等により形成されている。
【００４５】
カバー部材６１の幅Ｗ３は、支持部材５５、５５の間隔Ｗ４より大きく、かつ、第１の溝部５７、５７の間隔Ｗ５より小さく形成されている。
カバー部材６１の上端６１ａには、幅方向の両側に、装置架本体２１と反対側に、直角に折曲する取手部６３が形成されている。
上述した装置架では、図１０に示すように、取手部６３を持って、カバー部材６１の下端６１ｂが、第３の切込部５９に斜め上方から挿入される。
【００４６】
この後、カバー部材６１を第１の溝部５７に向けて下方に押圧することにより、カバー部材６１は、撓みながら第１の溝部５７に挿入される。
そして、図１１に示すように、カバー部材６１の取手部６３が、第３の切込部５９の下端５９ａに当接され、カバー部材６１が装置架本体２１の所定の位置に支持される。
【００４７】
一方、カバー部材６１を装置架本体２１から取り外しは、取手部６３を持ち、カバー部材６１を装置架本体２１の前面２１ａ側に少し湾曲しながら、斜め上方に引っ張ることにより行われる。
この例の装置架においても、上述した第１の実施形態と同様の効果を得ることができるが、この例では、第１の溝部５７にアクリル樹脂板からなるカバー部材６１の両端を挿通する第３の切込部５９を形成したので、カバー部材６１を撓ませながら、第３の切込部５９から第１の溝部５７に向けて挿入することで、カバー部材６１を装置架本体２１に容易に取り付けることができる。
【００４８】
また、装置架本体２１の収容空間２１ｂに収容される各装置２５に対応する位置に、それぞれ第３の切込部５９を形成したので、各装置２５毎に、カバー部材６１の取り付け・取り外しを行うことができ、保護が必要な装置２５のみに、カバー部材３５を取り付けることができる。
そして、カバー部材６１の上端６１ａに第３の切込部５９の下端５９ａに当接する取手部６３を形成したので、カバー部材６１を、第１の溝部５７に挿入するだけで、所定の位置に支持することができる。
【００４９】
また、カバー部材６１を第１の溝部５７に撓めて挿入する構造にしたので、カバー部材６１および支持部材５５を簡易な構造にすることができる。
さらに、カバー部材６１を第１の溝部５７に撓めて挿入する構造にしたので、カバー部材６１の両端を全て第１の溝部５７に支持させることができ、カバー部材６１を第１の溝部５７に確実に支持することができる。
【００５０】
図１２は、本発明に関連する装置架を示している。
この例では、装置架本体２１の開口部２３に、上下方向に沿って角柱状の支持部材６５が固定されている。
支持部材６５には、上述した図９に示した例と同一形状の第１の溝部６７、第３の切込部６９が形成されている。
【００５１】
各支持部材６５には、第１の溝部６７の内側に沿って、相互に突出する段差部７１が形成されている。
段差部７１には、第１の溝部６７に平行に、第３の溝部７３が形成されている。
支持部材６５には、第１および第３の溝部６７、７３の間を連通する第４の切込部７５が、第３の切込部６９に隣接する位置に形成されている。
【００５２】
第４の切込部７５は、第３の切込部６９と同一の高さに、同一の形状で形成されている。
ここで、図１３に示すように、第３の切込部６９と第４の切込部７５とは、装置架本体２１の前後方向に相互に重なることなく形成されている。
また、この例では、第１の溝部６７、６７の間隔Ｗ６、および第３の溝部７３、７３の間隔Ｗ７に合わせて、それぞれ幅の異なる２種類のカバー部材７７、７９が用いられている。
【００５３】
カバー部材７７、７９の上端７７ａ、７９ａの幅方向の両側には、第２の実施形態のカバー部材６１の取手部６３と同一の形状の取手部８１、８３が形成されている。
上述した装置架では、図１４に示すように、装置２５のスイッチ２５ｂが第３の溝部７３まで突出している場合には、カバー部材７７が、第３の切込部６９を介して第１の溝部６７に挿入される。
【００５４】
そして、カバー部材７７の取手部８１が、第３の切込部６９の下端６９ａに当接され、カバー部材７７が第１の溝部６７の所定の位置に支持される。
また、図１５に示すように、装置２５のスイッチ２５ｂが第３の溝部７３まで突出していない場合には、カバー部材７９が、第４の切込部７５を介して第３の溝部７３に挿入される。
【００５５】
そして、カバー部材７９の取手部８３が、第４の切込部７５の下端７５ａに当接され、カバー部材７９が第３の溝部７３の所定の位置に支持される。
この例においても、上述した第２の実施形態と同様の効果を得ることができる。
図１６は、本発明に関連する装置架を示している。
【００５６】
この例では、装置架本体２１の開口部２３の両側に、長尺状の直方体形状の支持部材８５が上下方向に沿って複数箇所に配置されている。
この例では、各支持部材８５は、収容架本体２１の装置２５が収容される収容空間２１ｂに対応する位置にそれぞれ配置されている。
この支持部材８５は、アルミニウム合金等により形成されている。
【００５７】
各支持部材８５には、相互に対向する第１の溝部８７が、上端８５ａまで開口して形成されている。
第１の溝部８７は、支持部材８５の下端８５ｂ側には開口せず、支持部材８５の下端８５ｂには底部８５ｃが形成されている。
【００５８】
支持部材８５は、長手方向の中央から少し上側を支点として、ねじ部材８９により、開口部２３の両側に回動自在に固定されている。
ここで、開口部２３の両側に螺合されるねじ部材８９により、回動機構の一形態が構成されている。
開口部２３の両側には、支持部材８５の内側に、支持部材８５の上端８５ａおよび下端８５ｂに対応する位置に、直方体形状の突出片が固定され、突出部９１ａ、９１ｂが形成されている。
【００５９】
また、この例では、アクリル樹脂板等からなる四角形形状のカバー部材９３が用いられている。
上述した装置架では、図１７に示すように、先ず、支持部材８５が、上端８５ａを装置架本体２１の前面２１ａ側に引き出すように回動される。
この際、支持部材８５は、下端８５ｂが突出部９１ｂに衝突するまで回動され、支持部材８５の上端８５ａが前面２１ａから突出した位置で停止する。
【００６０】
次に、カバー部材９３が、支持部材８５の上端８５ａから第１の溝部８７に挿入される。
挿入後、支持部材８５が、上端８５ａを装置架本体２１側に回動して、元の位置まで戻される。
この際、支持部材８５を強く回動した場合にも、支持部材８５の上端８５ａが突出部９１ａに衝突するため、支持部材８５が装置２５に衝突することが防止される。
【００６１】
この例の装置架においても、上述した第１の実施形態と同様の効果を得ることができるが、この実施形態では、装置架本体２１の開口部２３の両側に、装置架本体２１の前後方向に回動する支持部材８５を配置し、各支持部材８５に相互に対向する第１の溝部８７を形成したので、支持部材８５を上端８５ａが装置架本体２１の前面２１ａに突出するまで回動することで、カバー部材９３を第１の溝部８７に容易に挿入することができる。
【００６２】
また、装置架本体２１に複数収容される装置２５に対応する位置に、それぞれ支持部材８５を配置したので、各装置２５毎に、カバー部材９３の取り付け・取り外しを行うことができ、保護が必要な装置２５にのみ、カバー部材９３を取り付けることができる。
そして、開口部２３の両側に、支持部材８５の回動を制限する突出部９１ａ、９１ｂを形成したので、支持部材８５が、装置架本体２１に収容される装置２５に衝突することを防止することができる。
【００６３】
また、支持部材８５の上端８５ａに第１の溝部８７を開口し、上端８５ａからカバー部材９３を挿入する構造にしたので、アクリル樹脂板を所定の大きさに切断するだけで、カバー部材９３として使用することができる。
さらに、支持部材８５をねじ部材８９により、開口部の両側に取り付けたので、カバー部材９３が不要な場合には、支持部材８５を簡単に取り外すことができ、装置架本体２１の開口部２３を広く使うことができる。
【００６４】
そして、支持部材８５を長手方向の中央から少し上側を支点として、ねじ部材８９により、開口部２３の両側に固定したので、支持部材８５の重心を常にねじ部材８９の下方に位置させることができ、カバー部材９３を第１の溝部８７に挿入した際にも、支持部材８５を回動することなく安定してカバー部材９３支持することができる。
【００６５】
図１８は、本発明に関連する装置架を示している。
この例では、装置架本体２１の開口部２３の両側の前面に、円板形状の永久磁石９５が、間隔を置いて固定されている。
この例では、永久磁石９５は、収容架本体２１の装置２５が収容される収容空間２１ｂに対応して、開口部２３の両側にそれぞれ２個ずつ固定されている。
【００６６】
また、カバー部材９７は、四角形形状の透明なアクリル樹脂板等により形成されている。
カバー部材９７の四隅には、装置架本体２１と反対側の表面９７ａに、表面９７ａに突出する半円形状の取手部９９が固定されている。
カバー部材９７の裏面９７ｂには、永久磁石９５に対応する四隅に、円板形状の永久磁石１０１が固定されている。
【００６７】
また、図１９に示すように、永久磁石９５の表面９５ａには、円環状に凹む係止部９５ｂが形成されている。
永久磁石１０１の表面１０１ａには、永久磁石９５の係止部９５ｂの形状に対応する係合部１０１ｂが形成されている。
この例の装置架では、カバー部材９７を、取手部９９を持って、装置架本体２１の前面２１ａに近づけることにより、永久磁石１０１と永久磁石９５とが磁力により接合され、カバー部材９７が、装置架本体２１の所定の位置に支持される。
【００６８】
この際、永久磁石９５の係止部９５ｂと、永久磁石１０１の係合部１０１ｂとが、相互にはめ合いながら接合されるため、振動等によりカバー部材９７がずり落ちることが防止される。
カバー部材９７の装置架本体２１からの取り外しは、取手部９９を持って、カバー部材９７を引っ張ることにより、容易に行われる。
【００６９】
この例においても、上述した第１の実施形態と同様の効果を得ることができるが、この例では、装置架本体２１の開口部２３の前面に永久磁石９５を固定し、カバー部材９７の四隅に永久磁石１０１を固定したので、カバー部材９７を開口部２３の前面に配置するだけで、永久磁石９５と永久磁石１０１とが磁力により接合され、カバー部材９７を装置架本体２１の所定の位置に容易に取り付けることができる。
【００７０】
また、永久磁石９５の表面９５ａに円環状の係止部９５ｂを形成し、永久磁石１０１の表面１０１ａに係止部９５ｂに対応する形状の係合部１０１ｂを形成したので、永久磁石９５と永久磁石１０１とをはめ合わせて接合することができ、カバー部材９７が装置架本体２１からずり落ちることを防止することができる。
そして、カバー部材９７の四隅に永久磁石１０１を固定することで、カバー部材９７を装置架本体２１に支持させたので、カバー部材９７を、容易に、所望の大きさに形成することができる。
【００７１】
なお、上述した第１の実施形態では、複数の収容空間２１ｂが形成される装置架本体２１の各収容空間２１ｂに対応する位置に、カバー部材３５を取り付けた例について例について述べたが、本発明はかかる実施形態に限定されるものではなく、例えば、装置が１台のみ収容される装置架本体に、カバー部材３５を取り付けても良い。
【００７２】
また、上述した第１の実施形態では、装置架本体２１に、筐体から構成される装置２５を収容する収容空間２１ｂを形成し、カバー部材３５を取り付けた例について述べたが、本発明はかかる実施形態に限定されるものではなく、例えば、プリント配線板から構成される装置を収容する収容空間を形成し、カバー部材を取り付けても良い。
【００７３】
そして、上述した第１の実施形態では、透明なアクリル樹脂板からなるカバー部材３５を用いた例について述べたが、本発明はかかる実施形態に限定されるものではなく、例えば、カバー部材３５に文字等を記入し、あるいは色彩を施すことで、装置２５の保護とともに、説明表示板としての機能を合わせ持たせても良い。
【００７４】
また、上述した第２の実施形態では、カバー部材３５を、第１および第２の溝部４３、４９の一方に挿入した例について述べたが、本発明はかかる実施形態に限定されるものではなく、例えば、２枚のカバー部材３５を、それぞれ第１および第２の溝４３、４９の両方に挿入しても良い。
この場合には、第２の溝部４９に挿入されるカバー部材３５に、調整用のスイッチを操作する穴を開口することで、装置２５のメンテナンスの際に、第１の溝部４３に挿入されているカバー部材３５を取り外すだけで、容易に、装置２５の点検を行うことができ、かつ、調整用のスイッチ以外のスイッチへの接触を防止することができる。
【００７５】
そして、上述した図１８に示した例では、装置架本体２１およびカバー部材９７に、それぞれ永久磁石９５、１０１を固定した例について述べたが、本発明はかかる例に限定されるものではなく、例えば、装置架本体２１またはカバー部材９７の一方に永久磁石を固定し、他方に鋼板等を固定しても良い。
【００７６】
【発明の効果】
請求項１の装置架では、装置架本体の開口部の両側に支持部材を設け、各支持部材に相互に対向する第１の溝部を形成し、板状のカバー部材を第１の溝部に挿通自在に支持したので、カバー部材により、装置架本体に収容される装置の前面を覆うことができ、装置のスイッチ等が触れられることを防止することができる。
【００７７】
このため、装置架本体の設置場所に応じて、カバー部材を着脱することにより、装置架本体に収容される装置を、確実に保護することができ、装置の誤動作を防止することができる。
カバー部材の両端に、幅方向に突出する複数の突起部を形成し、支持部材に、カバー部材の突起部を第１の溝部まで挿通する第１の切込部を形成したので、カバー部材を装置架本体の前面に平行にした状態で、装置架本体に向けて移動することで、カバー部材を第１の溝部に容易に支持することができる。
請求項２の装置架では、カバー部材を透明にしたので、装置をカバー部材で覆って保護すると同時に、カバー部材で覆われる装置を、カバー部材を通して見ることができる。
【００７８】
請求項３の装置架では、装置架本体の上下方向に間隔を置いて設けられる装置の収容空間に対応する位置に、それぞれ第１の溝部を形成したので、収容空間に収容される各装置毎に、カバー部材の取り付け・取り外しを行うことができ、保護が必要な装置のみに、カバー部材を取り付けることができる。
【００８０】
請求項４の装置架では、第１の溝部の下部に当接部を形成したので、カバー部材を第１の溝部に挿入した後に、カバー部材を第１の溝部に沿って下方に移動し、カバー部材の下端を当接部に当接することで、カバー部材を第１の溝部の所定の位置に支持することができる。
請求項５の装置架では、支持部材に第１の溝部に隣接して第２の溝部を形成し、第１および第２の溝部の間に、第１の切込部に向けて第２の切込部を形成し、カバー部材を第１または第２の溝部のどちらかに支持するようにしたので、装置架本体に収容される装置の大きさ、あるいは、装置のスイッチ等の突出の程度に合わせて、カバー部材を、装置架本体の開口部の最適な位置に支持することができる。
【図面の簡単な説明】
【図１】本発明の装置架の第１の実施形態を示す斜視図である。
【図２】図１の正面図である。
【図３】カバー部材を第１の溝部に取り付ける状態を示す断面図である。
【図４】カバー部材を第１の溝部に取り付けた状態を示す断面図である。
【図５】図４の正面図である。
【図６】本発明の装置架の第２の実施形態を示す斜視図である。
【図７】カバー部材を第１の溝部に取り付けた状態を示す断面図である。
【図８】カバー部材を第２の溝部に取り付けた状態を示す断面図である。
【図９】  本発明に関連する装置架を示す斜視図である。
【図１０】カバー部材を第１の溝部に取り付ける状態を示す断面図である。
【図１１】カバー部材を第１の溝部に取り付けた状態を示す断面図である。
【図１２】  本発明に関連する装置架を示す斜視図である。
【図１３】図１２の正面図である。
【図１４】カバー部材を第１の溝部に取り付けた状態を示す断面図である。
【図１５】カバー部材を第３の溝部に取り付けた状態を示す断面図である。
【図１６】  本発明に関連する装置架を示す斜視図である。
【図１７】カバー部材を支持部材の第１の溝部に取り付ける状態を示す断面図である。
【図１８】  本発明に関連する装置架を示す斜視図である。
【図１９】被着部材および接合部材の詳細を示す断面図である。
【図２０】従来の装置架を示す斜視図である。
【符号の説明】
２１  装置架本体
２１ａ  前面
２１ｂ  収容空間
２３  開口部
２５  装置
２５ａ  前面
２５ｂ  スイッチ
２５ｃ  コネクタ
２５ｄ  上部
２５ｅ  下部
２７  支持部材
２９  第１の溝部
３１ａ、３１ｂ  第１の切込部
３３  当接部
３５  カバー部材
３５ａ  上端
３５ｂ  下端
３７  取手部
３９ａ、３９ｂ  突起部
４１  支持部材
４３  第１の溝部
４５ａ、４５ｂ  第１の切込部
４７  当接部
４９  第２の溝部
５１ａ、５１ｂ  第２の切込部
５３  当接部
５５  支持部材
５７  第１の溝部
５９  第３の切込部
５９ａ  下端
６１  カバー部材
６１ａ  上端
６１ｂ  下端
６３  取手
６５  支持部材
６７  第１の溝部
６９  第３の切込部
７１  段差部
７３  第３の溝部
７５  第４の切込部
７７、７９  カバー部材
７７ａ、７９ａ  上端
８１、８３  取手部
８５  支持部材
８５ａ  上端
８５ｂ  下端
８５ｃ  底部
８７  第１の溝部
８９  ねじ部材（回動機構）
９１ａ、９１ｂ  突出部
９３  カバー部材
９５  永久磁石
９５ａ  表面
９５ｂ  係止部
９７  カバー部材
９７ａ  表面
９７ｂ  裏面
９９  取手部
１０１  永久磁石
１０１ａ  表面
１０１ｂ  係合部
Ｈ１  高さ
Ｈ２  高さ
Ｗ１  幅
Ｗ２  間隔
Ｗ３  幅
Ｗ４  間隔
Ｗ５  間隔
Ｗ６  間隔
Ｗ７  間隔
【図１】
0003670488.tif 000002
【図２】
0003670488.tif 000003
【図３】
0003670488.tif 000004
【図４】
0003670488.tif 000005
【図５】
0003670488.tif 000006
【図６】
0003670488.tif 000007
【図７】
0003670488.tif 000008
【図８】
0003670488.tif 000009
【図９】
0003670488.tif 000010
【図１０】
0003670488.tif 000011
【図１１】
0003670488.tif 000012
【図１２】
0003670488.tif 000013
【図１３】
0003670488.tif 000014
【図１４】
0003670488.tif 000015
【図１５】
0003670488.tif 000016
【図１６】
0003670488.tif 000017
【図１７】
0003670488.tif 000018
【図１８】
0003670488.tif 000019
【図１９】
0003670488.tif 000020
【図２０】
0003670488.tif 000021